(57)【要約】【課題】一体式水泳用ゴーグルの提供。【解決手段】硬材質の第１フレームと軟材質の第２フレームで組成され、第１フレームがレンズ収容溝を具えた二つの前リムと、該前リムの内側に連接されて少なくとも一つの連接部分と少なくとも一つの折り曲げ点を具えた第１ブリッジを具え、第２フレームが第１フレームの前リムに接近する二つの後ろリムと、後ろリムに連接され並びに第１フレームの第１ブリッジを被覆する第２ブリッジを具え、硬材質の第１フレームがヘッドバンドの組み付けに供され、着用時のフレームの変形を防止し、軟材質の第２フレームにより着用時の顔部との接触が快適なものとされる。【選択図】　　　　図２
0003098515.tif 000002
【実用新案登録請求の範囲】
【請求項１】
一体式水泳用ゴーグルにおいて、
硬材質で形成され、二つの前リムと第１ブリッジを具え、該二つの前リムが前表面と後ろ表面を具え、前表面にレンズを収容する収容溝が設けられ、該第１ブリッジが二つの前リムの内側に一体に設けられて少なくとも一つの連接部分と少なくとも一つの折り曲げ点を具えた第１フレームと、
軟材質で形成され、二つの後ろリムと第２ブリッジを具え、該二つの後ろリムが前表面と後ろ表面を具え、前表面が前リムの後ろ表面に近接固定され、第２ブリッジが二つの後ろリムの内側に架設されると共に第１ブリッジを被覆する第１フレームと、
第１フレームの外側に設けられたヘッドバンド装置と、
を具えたことを特徴とする、一体式水泳用ゴーグル。
【請求項２】
請求項１記載の一体式水泳用ゴーグルにおいて、第１ブリッジに二つの連接部分が設けられ、該二つの連接部分が二つの前リムの内側より延伸され、且つ二つの連接部分の中央部分が連接されて一つの折り曲げ点とされたことを特徴とする、一体式水泳用ゴーグル。
【請求項３】
請求項１記載の一体式水泳用ゴーグルにおいて、二つの前リムの外側に設けられた結合シートが、前リムの後ろ表面より後ろリムに向けて延伸され、該結合シートが二つの穿孔を具えたことを特徴とする、一体式水泳用ゴーグル。
【請求項４】
請求項３記載の一体式水泳用ゴーグルにおいて、二つの後ろリムと二つの前リムの連接が、成形時に二つの前リムが結合シートに被覆されて一体とされてなることを特徴とする、一体式水泳用ゴーグル。
【請求項５】
請求項１記載の一体式水泳用ゴーグルにおいて、二つの後ろリムの後ろ表面に一体に保護パッドが設けられたことを特徴とする、一体式水泳用ゴーグル。
【請求項６】
請求項２記載の一体式水泳用ゴーグルにおいて、第１ブリッジの連接部分と折り曲げ点の間に補強リブが設けられたことを特徴とする、一体式水泳用ゴーグル。
【請求項７】
一体式水泳用ゴーグルにおいて、
それぞれが前表面と後ろ表面を具え、前表面にレンズを収容する収容溝が設けられた左リムと右リムと、
左リムと右リムの内側に設けられて少なくとも一つの連接部分と少なくとも一つの折り曲げ点を具えたブリッジと、
左リムと右リムの外側に設けられたヘッドバンド装置と、
を具えたことを特徴とする、一体式水泳用ゴーグル。
【請求項８】
請求項７記載の一体式水泳用ゴーグルにおいて、ブリッジに二つの連接部分が設けられ、該二つの連接部分が左リムと右リムの内側より延伸され、且つ二つの連接部分の中央部分が連接されて一つの折り曲げ点とされたことを特徴とする、一体式水泳用ゴーグル。
【請求項９】
請求項８記載の一体式水泳用ゴーグルにおいて、ブリッジの連接部分と折り曲げ点の間に補強リブが設けられたことを特徴とする、一体式水泳用ゴーグル。
【請求項１０】
請求項７記載の一体式水泳用ゴーグルにおいて、左リムと右リムの後ろ表面に一体に軟材質の保護パッドが設けられたことを特徴とする、一体式水泳用ゴーグル。
【考案の詳細な説明】
【０００１】
【考案の属する技術分野】
本考案は一種の一体式水泳用ゴーグルに係り、特に、リムが軟質、硬質材料で形成され、着用時に顔に快適に密着し、ヘッドバンドを引っ張っても変形せず、またブリッジが良好な撓み性を提供し、リム、ブリッジ及び保護パッドが一体式とされた水泳用ゴーグルに関する。
【０００２】
【従来の技術】
周知のリム、ブリッジ、及び保護パッドが一体式とされた水泳用ゴーグルには、図１に示される出願人による特許文献１に記載のものがある。この特許文献１の水泳用ゴーグルは、リム、ブリッジ及び保護パッドが一体式とされた水泳用ゴーグルにおいて、顔に密着する一側の保護パッドが柔軟な材質とされて快適に着用できる効果を提供し、リムのヘッドバンドを通す部分は引っ張り強さを有してフレームの変形を防止する必要がある。このため、特許文献１は軟材質で一体成形された水泳用ゴーグル７０を提供し、その二つのリム７１、７２、ブリッジ７３及び保護パッド７４がいずれも軟質材料で形成されている。ゆえに、リム７１、７２着用時の変形を防止するため、ブリッジ７３の断面はアーチ形とされ、アーチ形の中間が厚く、両側が薄くされ、二つのリム７１、７２の外側に係止部７５が設けられて、ヘッドバンド７６の押し板７７が該係止部７５を係止する。ヘッドバンド７６が引っ張られる時、引っ張りの力が該係止部７５とブリッジ７３の中央の厚い部分に分散し、これにより二つのリム７１、７２の変形が防止される。
【０００３】
さらにこの一体式の水泳用ゴーグルのブリッジは二つのリムの内側に固定され、着用の幅は一定範囲とされ、使用者の顔の形は一致しないため、ブリッジの適度な撓み性により実際の要求に符合するものとされる。
【０００４】
【特許文献１】
台湾実用新案登録第８３２００４０５号明細書
【０００５】
【考案が解決しようとする課題】
ゆえに、一体式水泳用ゴーグルには着用時の接顔側の快適性と、着用時にヘッドバンドの引っ張りがリムに発生させる変形、及びブリッジが良好な撓み性を具備するかを考慮しなければならない。
【０００６】
即ち、本考案は一種の一体式水泳用ゴーグルを提供することを目的とし、それは、着用して快適でリムが変形せず、ゴーグルの顔に当接する一側が軟材質で形成され、ヘッドバンドが通される一側が硬材質で形成され、ヘッドバンドが硬材質の一側に固定されて、ゴーグル着用時に快適でリムの変形の心配がないものとされる。
【０００７】
本考案はまた一種の一体式水泳用ゴーグルを提供することを目的とし、それは、ブリッジが良好な撓み性を具備し、二つのリムが着用の適用性を具備し、ヘッドバンドが顔形に合わせて引っ張られる時、顔に密着して着用して快適である効果を具備するものとされる。
【０００８】
【課題を解決するための手段】
請求項１の考案は、一体式水泳用ゴーグルにおいて、
硬材質で形成され、二つの前リムと第１ブリッジを具え、該二つの前リムが前表面と後ろ表面を具え、前表面にレンズを収容する収容溝が設けられ、該第１ブリッジが二つの前リムの内側に一体に設けられて少なくとも一つの連接部分と少なくとも一つの折り曲げ点を具えた第１フレームと、
軟材質で形成され、二つの後ろリムと第２ブリッジを具え、該二つの後ろリムが前表面と後ろ表面を具え、前表面が前リムの後ろ表面に近接固定され、第２ブリッジが二つの後ろリムの内側に架設されると共に第１ブリッジを被覆する第１フレームと、
第１フレームの外側に設けられたヘッドバンド装置と、
を具えたことを特徴とする、一体式水泳用ゴーグルとしている。
請求項２の考案は、請求項１記載の一体式水泳用ゴーグルにおいて、第１ブリッジに二つの連接部分が設けられ、該二つの連接部分が二つの前リムの内側より延伸され、且つ二つの連接部分の中央部分が連接されて一つの折り曲げ点とされたことを特徴とする、一体式水泳用ゴーグルとしている。
請求項３の考案は、請求項１記載の一体式水泳用ゴーグルにおいて、二つの前リムの外側に設けられた結合シートが、前リムの後ろ表面より後ろリムに向けて延伸され、該結合シートが二つの穿孔を具えたことを特徴とする、一体式水泳用ゴーグルとしている。
請求項４の考案は、請求項３記載の一体式水泳用ゴーグルにおいて、二つの後ろリムと二つの前リムの連接が、成形時に二つの前リムが結合シートに被覆されて一体とされてなることを特徴とする、一体式水泳用ゴーグルとしている。
請求項５の考案は、請求項１記載の一体式水泳用ゴーグルにおいて、二つの後ろリムの後ろ表面に一体に保護パッドが設けられたことを特徴とする、一体式水泳用ゴーグルとしている。
請求項６の考案は、請求項２記載の一体式水泳用ゴーグルにおいて、第１ブリッジの連接部分と折り曲げ点の間に補強リブが設けられたことを特徴とする、一体式水泳用ゴーグルとしている。
請求項７の考案は、一体式水泳用ゴーグルにおいて、
それぞれが前表面と後ろ表面を具え、前表面にレンズを収容する収容溝が設けられた左リムと右リムと、
左リムと右リムの内側に設けられて少なくとも一つの連接部分と少なくとも一つの折り曲げ点を具えたブリッジと、
左リムと右リムの外側に設けられたヘッドバンド装置と、
を具えたことを特徴とする、一体式水泳用ゴーグルとしている。
請求項８の考案は、請求項７記載の一体式水泳用ゴーグルにおいて、ブリッジに二つの連接部分が設けられ、該二つの連接部分が左リムと右リムの内側より延伸され、且つ二つの連接部分の中央部分が連接されて一つの折り曲げ点とされたことを特徴とする、一体式水泳用ゴーグルとしている。
請求項９の考案は、請求項８記載の一体式水泳用ゴーグルにおいて、ブリッジの連接部分と折り曲げ点の間に補強リブが設けられたことを特徴とする、一体式水泳用ゴーグルとしている。
請求項１０の考案は、請求項７記載の一体式水泳用ゴーグルにおいて、左リムと右リムの後ろ表面に一体に軟材質の保護パッドが設けられたことを特徴とする、一体式水泳用ゴーグルとしている。
【０００９】
【考案の実施の形態】
本考案の一体式水泳用ゴーグルは、硬材質の第１フレームと軟材質の第２フレームで組成され、第１フレームがレンズ収容溝を具えた二つの前リムと、該二つの前リムの内側に連接されて少なくとも一つの連接部分と少なくとも一つの折り曲げ点を具えた第１ブリッジを具え、第２フレームが第１フレームの前リムに接近する二つの後ろリムと、後ろリムに連接され並びに第１フレームの第１ブリッジを被覆する第２ブリッジを具え、第１ブリッジの少なくとも一つの折り曲げ点により、第２ブリッジが該折り曲げ点を中心として一体に組み合わされた第１、第２フレームの前後のリムに良好な撓み性を提供することを特徴としている。
【００１０】
【実施例】
図２に示されるように、本考案の一体式水泳用ゴーグル１は、第１フレーム２、第２スレーム３、ヘッドバンド装置（図示せず）を具えている。そのうち、第１フレーム２は硬材質とされ、図３も参照されたいが、それは二つの前リム２０、２１と第１ブリッジ２２を具え、該二つの前リム２０、２１が前表面２０１、２１１と後ろ表面２０２、２１２を具え、前表面２０１、２１１に収容溝２０２、２１２が設けられてレンズ５が収容される。該第１ブリッジ２２は二つの前リム２０、２１の内側に設けられ、二つの前リム２０、２１の内側より延伸された二つの連接部分２２０、２２１を具えている。且つ二つの連接部分２２０、２２１の中央近くが折り曲げ点２３で連接され、これにより第１ブリッジ２２が良好な撓み性を具備するものとされる。また、第１ブリッジ２２の連接部分２２０、２２１と折り曲げ点２３の間にさらに補強リブ２４が設けられて連接部分２２０、２２１を強化する作用を提供する。また、二つの前リム２０、２１の外側にそれぞれ結合シート２５が設けられ、それは前リム２０、２１の後ろ表面２０２、２１２より延伸され、該結合シート２５に二つの穿孔２５１、２５２（図５参照）が設けられてヘッドバンド装置のヘッドバンド（図示せず）の組み付けに供される。
【００１１】
第２フレーム３は軟材質とされ、図２に示されるように、それは二つの後ろリム３０、３１と第２ブリッジ３２を具えている。そのうち、該二つの後ろリム３０、３１が前表面３０１、３１１と後ろ表面３０２、３１２を具え、前表面３０１、３１１が前リム２０、２１の後ろ表面２０２、２１２に近接し、並びに二つの前リム２０、２１の結合シート２５を被覆している。また、後ろリム３０、３１の後ろ表面３０２、３１２に一体に保護パッド６が設けられている。さらに第２ブリッジ３２が二つの後ろリム３０、３１の内側に設けられ、並びに第１ブリッジ２２を被覆し、言い換えると、第２フレーム３の成形時に、先に第１フレーム２が第２フレーム３を成形する型に置かれて併せて射出され、第１フレーム２の両側の前リム２０、２１の結合シート２５及び第１ブリッジ２２が被覆され、これにより第１フレーム２と第２フレーム３が一体に組み合わされる。
【００１２】
上述の第２フレーム３と第１フレーム２の一体に被覆、組合せ後の状態は図４に示されるとおりであり、全体の一体式水泳用ゴーグル１の第１ブリッジ２２は第２ブリッジ３２内に被覆され、第１ブリッジ２２（図３を併せて参照されたい）の折り曲げ点２３が、第２ブリッジ３２に該折り曲げ点２３を中心として、
組み合わされ一体とされた第１フレーム２、第２フレーム３の前リム２０、２１と後ろリム３０、３１に良好な撓み性を提供させる。こうして、ゴーグル着用時に、前リム２０、２１と後ろリム３０、３１がヘッドバンドの引っ張りにより順調に顔に密着し、着用して快適な効果を提供する。
【００１３】
【考案の効果】
総合すると、本考案の一体式水泳用ゴーグルは確実にその目的を達成し、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】周知の技術の斜視図である。
【図２】本考案の一体式水泳用ゴーグルの分解斜視図である。
【図３】本考案の一体式水泳用ゴーグルの第１フレームの斜視図である。
【図４】図２の組合せ斜視図である。
【図５】図４の４−４断面図である。
【符号の説明】
１　一体式水泳用ゴーグル　　　　　　２　第１フレーム
３　第２フレーム　　　　　　　　　　５　レンズ
６　保護パッド　　　　　　　　　　　２０、２１　前リム
２２　第１ブリッジ　　　　　　　　　２３　折り曲げ点
２４　補強リブ　　　　　　　　　　　２５　結合シート
２０１、２１１　前表面　　　　　　　２０２、２１２　後ろ表面
２５１、２５２　穿孔　　　　　　　　３０、３１　後ろリム
３２　第２ブリッジ　　　　　　　　　３０１、３１１　前表面
３０２、３１２　後ろ表面
【図１】
0003098515.tif 000003
【図２】
0003098515.tif 000004
【図３】
0003098515.tif 000005
【図４】
0003098515.tif 000006
【図５】
0003098515.tif 000007